(57)【要約】      （修正有）【課題】樹木等の障害物の間を容易に防護管を通過させることが可能であり、防護管の架空配電線への装着状態を維持しつつ、脱落を防止することが可能な防護管移動補助具を提供する。【解決手段】防護管移動補助具１は、長尺の筒状をなし、一端に雄型嵌合部８１が形成され、他端に雄型嵌合部８１を挿着可能とする雌型嵌合部８２が形成された防護管８に取り付けられるもので、軸線に沿ったヒンジを介して開閉可能な第１の半割部材と第２の半割部材とによって筒状に形成された補助具本体２を備える。補助具本体２は、雄型嵌合部８１を収容可能に形成され、雄型嵌合部８２が挿入される基端部から防護管８から離れる先端部に向かって径が徐々に小さくなるテーパ状に形成され、また、第１の半割部材８１と第２の半割部材８２との閉状態を維持する固定部２０を有する。【選択図】図４
2018126031.tif 000002
【特許請求の範囲】
【請求項１】
長尺の筒状をなし、一端に雄型嵌合部が形成され、他端に前記雄型嵌合部を挿着可能とする雌型嵌合部が形成された防護管に取り付けられる防護管移動補助具であって、
軸線に沿ったヒンジを介して開閉可能な第１の半割部材と第２の半割部材とによって筒状に形成された補助具本体を備え、
前記補助具本体は、前記雄型嵌合部を収容可能に形成され、前記雄型嵌合部が挿入される基端部から前記防護管から離れる先端部に向かって径が徐々に小さくなるテーパ状に形成され、また、前記第１の半割部材と前記第２の半割部材との閉状態を維持する固定部を有することを特徴とする防護管移動補助具。
【請求項２】
長尺の筒状をなし、一端に雄型嵌合部が形成され、他端に前記雄型嵌合部を挿着可能とする雌型嵌合部が形成された防護管に取り付けられる防護管移動補助具であって、
軸線に沿ったヒンジを介して開閉可能な第１の半割部材と第２の半割部材とによって筒状に形成された補助具本体を備え、
前記補助具本体は、前記雌型嵌合部に挿着可能な基端部と、この基端部に続いて前記雌型嵌合部の開口端径と等しいかこれより大きい径に形成された中間拡径部とを備え、この中間拡径部から前記防護管から離れる先端部に向かって径が徐々に小さくなるテーパ状に形成され、また、前記第１の半割部材と前記第２の半割部材との閉状態を維持する固定部を有することを特徴とする防護管移動補助具。
【請求項３】
前記固定部は、前記第１の半割部材に設けられた係止孔と、前記第２の半割部材に設けられ、前記第１の半割部材の係止孔と係合する係合突起と、から構成されることを特徴とする請求項１又は２に記載の防護管移動補助具。
【請求項４】
前記固定部は、結束バンドと、前記第１の半割部材と、前記第２の半割部材とに設けられた前記結束バンドを挿通する挿通孔と、から構成されることを特徴とする請求項１又は２に記載の防護管移動補助具。
【発明の詳細な説明】
【技術分野】
【０００１】
本発明は、防護管に取り付ける防護管移動補助具に関し、特に、樹木の枝等の障害物の間を容易に通過させることができるものに関する。
【背景技術】
【０００２】
配電線路において、樹木接触箇所は、電気設備の技術基準に抵触することから、定期的に伐採を行わなければならない。
しかしながら、伐採を行わなければならない箇所は多数に亘り、また、伐採には地権者の許可を得るための交渉等が必要になるため即時に実行できない事情がある。
【０００３】
一方、配電線路へ樹木が接触した状態では、架空配電線の被覆が損傷し、停電等の事故につながる恐れがある。
そこで一時的な措置として、架空配電線の樹木接触箇所において耐摩耗防護管（以下、単に防護管とする）を取り付けることが行われている。
【０００４】
このような防護管としては、円形断面の防護管本体と、この防護管本体の一端側に設けられた連結用突出部と、他端側に設けられた筒状継手部と、を備えた架空電線防護管が、開示されている（特許文献１参照）。
【先行技術文献】
【特許文献】
【０００５】
【特許文献１】特開２００３−２８９６１５号公報
【０００６】
ここで、耐摩耗性防護管の連結用突出部と筒状継手部とは、互いに連結可能とする構造を有するため周方向に拡径して形成される。
特許文献１に示される防護管の取り付けは、上述の通り架空配電線が樹木に覆われた箇所で行われおり、樹木の枝の間を通して防護管を移動しなければならない。
したがって、樹木の枝の間に防護管を通す際に、拡径された部分が枝に引っかかり、作業者が意図するように防護管を移動させることが難しい問題がある。
【０００７】
尚、直接活線による取り付けでは、筒状継手部側から挿入して作業することもあり、この場合、樹木に対する干渉度合がさらに大きくなり、樹木の間を通過させることが困難である。
【発明の概要】
【発明が解決しようとする課題】
【０００８】
本発明は、係る事情に鑑みてなされたものであり、樹木等の障害物の間を容易に防護管を通過させることが可能であり、防護管の架空配電線への装着状態を維持しつつ、脱落を防止することが可能な防護管移動補助具を提供することを主たる課題としている。
【課題を解決するための手段】
【０００９】
上記課題を達成するために、本発明に係る防護管移動補助具は、筒状の補助具本体が、軸線に沿ったヒンジを介して開閉自在な第１の半割部材と第２の半割部材とで構成され、前記補助具本体は、防護管の基端から先端方向に向かって径が徐々に狭まるようにテーパ状に形成され、前記補助具本体の閉状態を維持する固定部が設けられ、前記補助具本体の内部は、防護管の先端を収容可能に形成されることを特徴としている。
【００１０】
補助具本体は、防護管の基端から先端方向に向かって径が徐々に狭まるようにテーパ状に形成されることにより、防護管を樹木等の障害物を通過させる際に障害物との接触時の面積を減少させることができ、引っかかり難くさせることができる。これにより、作業者は、所望の方向に引っ張って架空配電線状をスライドさせるだけで、所望の位置に防護管を配置させることができる。
補助具本体の閉状態を維持する固定部が設けられ、補助具本体の内部は、防護管の先端を収容可能に形成されることにより、防護管の先端部を覆うように取り付けるだけで、容易に防護管が脱落することを防ぐことが可能となる。
【００１１】
長尺の筒状をなし、一端に雄型嵌合部が形成され、他端に前記雄型嵌合部を挿着可能とする雌型嵌合部が形成された防護管に取り付けられる防護管移動補助具であって、軸線に沿ったヒンジを介して開閉可能な第１の半割部材と第２の半割部材とによって筒状に形成された補助具本体を備え、前記補助具本体は、前記雌型嵌合部に挿着可能な基端部と、この基端部に続いて前記雌型嵌合部の開口端径と等しいかこれより大きい径に形成された中間拡径部とを備え、この中間拡径部から前記防護管から離れる先端部に向かって径が徐々に小さくなるテーパ状に形成され、また、前記第１の半割部材と前記第２の半割部材との閉状態を維持する固定部を有するようにしてもよい。
【００１２】
補助具本体は中間拡径部を備えることにより、防護管の雌型篏合部に防護管移動補助具を挿し込み嵌合させることが可能となる。また、補助具本体が中間拡径部から防護管から離れる先端部に向かって径が徐々に小さくなるテーパ状に形成されることで、障害物への引っ掛かりが低減され、作業者は、所望の方向に引っ張って架空配電線状をスライドさせるだけで、所望の位置に防護管を配置させることができる。
【００１３】
固定部は、第１の半割部材に設けられた係止孔と、第２の半割部材に設けられ、第１の半割部材の係止孔と係合する係合突起と、から構成されるようにしてもよいし、固定部は、結束バンドと、第１の半割部材と、第２の半割部材とに設けられた結束バンドを挿通する挿通孔と、から構成されるようにしてもよい。
【００１４】
このように固定部を構成することで、間接活線工具を用いて防護管移動補助具を取り付ける場合であっても、容易に防護管に防護管移動補助具を取り付けることが可能となる。
【発明の効果】
【００１５】
以上述べたように、本発明の防護管移動補助具によれば、防護管を樹木等の障害物を通過させる際に、障害物に引っかかり難くさせることができる。したがって、容易に耐摩耗性防護管を所望の位置に素早く取り付けることが可能となる。
また、防護管の端部に補助具本体を取り付けた後に、固定部により防護管に固定することで、装着後においても装着状態を維持することが可能となる。
【図面の簡単な説明】
【００１６】
【図１】図１は、耐摩耗性防護管の全体を示す正面図である。
【図２】図２は、実施例１の防護管移動補助具の全体を示す斜視図である。
【図３】図３は、実施例１の防護管移動補助具の補助具本体が開いた状態を示す展開図である。
【図４】図４は、防護管の連結用突出部に防護管移動補助具を取り付けた状態を示す正面図である。
【図５】図５は、防護管の連結用突出部に防護管移動補助具を取り付けて、架空配電線の所望の位置に防護管を移動させる際のイメージを示したイメージ図である。
【図６】図６は、固定部を結束バンドで構成した場合を示す防護管移動補助具の全体を示す斜視図である。
【図７】図７は、実施例２の防護管移動補助具の全体を示す斜視図である。
【図８】図８は、防護管の連結用突出部に実施例２の防護管移動補助具を取り付けた状態を示す正面図である。
【発明を実施するための形態】
【実施例１】
【００１７】
以下、本発明に係る防護管移動補助具について、図面を参照しながら説明する。
【００１８】
図１において示すように、防護管８は、円形断面の防護管本体８０と、この防護管本体８０の先端側に設けられた雄型篏合部８１と、基端側に設けられた雌型篏合部８２と、を備えて構成され、防護管８の移動方向の下側に凸部８３が形成される。
【００１９】
図２乃至５に示すように、防護管移動補助具１は、筒状の補助具本体２が、軸線に沿ったヒンジ１０を介して開閉自在な第１の半割部材３と第２の半割部材４とで構成され、防護管８の雄型篏合部８１に取り付け可能に形成される。
【００２０】
補助具本体２は、防護管８の基端から先端方向に向かって径が徐々に狭まるようにテーパ状に形成され、補助具本体２の閉状態を維持する固定部２０が外周面に設けられる。
【００２１】
補助具本体２の内部は、略円筒状に形成された防護管８の先端形状に沿うように形成され、かつ、架空配電線９を挿通可能に先端と基端とが貫通するように中空状に形成される。
【００２２】
ヒンジ１０は、補助具本体２の内部において、第１の半割部材３と第２の半割部材４との接合面に形成されるもので、補助具本体２の軸線上において防護管８の移動方向の上側に向かって凹状に形成される。
【００２３】
補助具本体２の内部の防護管８の移動方向の下側においては、嵌合凹部２１が形成される。
嵌合凹部２１は、防護管８の移動方向の下側方向に向かって基端から先端にかけて凹状に形成されるもので、防護管８の凸部８３と嵌合可能に形成される。
【００２４】
固定部２０は、第１の半割部材３に設けられた係止孔２２と、第２の半割部材４に設けられ、第１の半割部材３の係止孔２２と係合する係合突起２３と、から構成される。
係止孔２２は、断面が円状に形成され、周方向の４箇所において切り込み２２ａが形成されている。
【００２５】
係合突起２３は、係止孔２２に向かって突設して一体に形成された棒状部（図示せず）と、この棒状部の先端において略円錐台状に形成された係合部２３ａと、によって構成されている。
【００２６】
以上で説明した防護管移動補助具１を防護管８に取り付ける場合には、図４及び５に示すように、防護管８を架空配電線９に差し入れ、その後に防護管８の先端を覆うように防護管移動補助具１を被せ、絶縁ヤットコ等で固定部２０の係合突起２３を係止孔２２に係合させることにより行う。
【００２７】
尚、本実施例において固定部２０は、第１の半割部材３に設けられた係止孔２２と、第２の半割部材４に設けられ、第１の半割部材３の係止孔２２と係合する係合突起２３と、から構成されるようにしたが、結束バンドによって構成するようにしてもよい。
【００２８】
具体的には、図６に示すように、固定部２０は、結束バンド２５と、第１の半割部材３と、第２の半割部材４とに設けられた結束バンド２５を挿通する挿通孔２６と、から構成される。
【００２９】
このように固定部２０を構成した場合、絶縁ヤットコ等で結束バンド２５のベルト２７をベルト通し２８に挿した後に、所定の位置までベルト２７を引っ張って固定し、余ったベルト２７をＰＤＰカッター等で切断して防護管８に防護管移動補助具１を取り付ける。
【００３０】
以上述べたように、本発明の防護管移動補助具１によれば、防護管８を樹木等の障害物１１を通過させる際に、障害物１１に引っかかり難くさせることができる。したがって、容易に防護管８を所望の位置に素早く取り付けることが可能となる。
また、防護管８の雄型篏合部８１に補助具本体２を取り付けた後に、固定部２０により防護管８に固定することで、装着後においても装着状態を維持し防護管８の脱落を防止することが可能となる。
【実施例２】
【００３１】
上述の実施例においては、防護管８の雄型篏合部８１に防護管移動補助具１を取り付けるようにしたが、防護管８の雌型篏合部８２に防護管移動補助具１を取り付けるようにしてもよい。
尚、実施例１と同様の構成については、同一箇所に同一符号を付して説明を省略する。
【００３２】
図１，７及び８に示すように、補助具本体２は、雌型嵌合部８２に挿着可能な基端部２９と、この基端部２９に続いて雌型嵌合部８２の開口端径と等しいかこれより大きい径に形成された中間拡径部５とを備え、この中間拡径部５から防護管８から離れる先端部６に向かって径が徐々に小さくなるテーパ状に形成される。
【００３３】
基端部２９は、軸線に沿ったヒンジ２９ａを介して開閉自在な第１の半割部材３から軸方向に延設された第１の部材２９ｂと、第２の半割部材４から軸方向に延設された第２の部材２９ｃとで構成され、雌型篏合部８２の内部形状に沿うように防護管８の雄型篏合部８１と同様の略円筒状に形成される。
したがって、基端部２９は、防護管８の雌型篏合部８２に形成された挿通孔８４に嵌合可能に形成される。
基端部２９の内部は、架空配電線９を挿通可能に補助具本体２の内部と連通するように中空状に形成される。
【００３４】
このように防護管移動補助具１を形成することで、防護管８の雌型篏合部８２側から移動させることが可能になる。
【符号の説明】
【００３５】
１  防護管移動補助具
１０  ヒンジ
２  補助具本体
２０  固定部
２２  係止孔
２３  係合突起
２５  結束バンド
２６  挿通孔
３  第１の半割部材
４  第２の半割部材
８  防護管
【図１】
2018126031.tif 000003
【図２】
2018126031.tif 000004
【図３】
2018126031.tif 000005
【図４】
2018126031.tif 000006
【図５】
2018126031.tif 000007
【図６】
2018126031.tif 000008
【図７】
2018126031.tif 000009
【図８】
2018126031.tif 000010